(57)【特許請求の範囲】
【請求項１】
入射するＸ線を受ける上面を備え、セル配列された複数のシンチレータ（５７）を有し、半導体基板（６１）の上面側に配列されたシンチレータ・アレイ（５６）と、
前記半導体基板（６１）で作られた複数の光ダイオード（６０）を有し、前記シンチレータ・アレイ（５６）の照度を検出するように構成され、前記半導体基板（６１）の底面の側に配列された光ダイオード・アレイ（５２）と、
光吸収材料で作成され、前記シンチレータ・アレイ（５６）と光ダイオード・アレイ（５２）との間に、前記半導体基板（６１）の前記上面の側に配置され、前記シンチレータ（５７）とこれに対応する光ダイオード（６０）と間の光伝達を低減するように構成された光マスク（８８）であって、予め準備された前記光マスク（８８）が、前記シンチレータ・アレイ（５６）と前記半導体基板（６１）との間に挟まれる、前記光マスク（８８）と、
を含み、
前記光マスク（８８）は、前記複数の光ダイオード（６０）よりも前記シンチレータ・アレイ（５６）の近くに配置され、前記シンチレータ・アレイ（５６）に隣接している、
ＣＴ検出器。
【請求項２】
前記光マスク（８８）が、光阻止要素（９０）のグリッドを含む、請求項１記載のＣＴ検出器。
【請求項３】
前記光マスク（８８）が、前記シンチレータ・アレイ（５６）の前記上面に沿って延びる光吸収阻止要素のグリッドを形成し、該光吸収阻止要素の寸法が、前記シンチレータ・アレイ（５６）及び前記光ダイオード・アレイ（５２）の寸法と等しい、請求項１記載のＣＴ検出器。
【請求項４】
前記複数の光阻止要素（９０）が隣接するシンチレータ間の間隔と等しくなるように構成される、請求項３記載のＣＴ検出器。
【請求項５】
各シンチレータ／光ダイオードの組合せが検出器セルを形成し、前記光マスク（８８）が隣接するセル間の漏話を低減するように構成されている、請求項１記載のＣＴ検出器。
【請求項６】
その中央に配置されたボアを有する回転可能なガントリと、
前記ボアの中を前後に移動可能であり、ＣＴデータ収集のために被検体を位置決めするように構成されたテーブルと、
前記ガントリ内に配置され、前記被検体に向かって高周波電磁エネルギーのファンビームを投射するように構成された高周波電磁エネルギー投射源と、
前記ガントリ内に配置され、投射源によって投射されかつ被検体に入射する高周波電磁エネルギーを検出するように構成された請求項１乃至５のいずれかに記載のＣＴ検出器と、
を含む、ＣＴシステム。
【請求項７】
ＣＴ検出器の製造方法であって、
入射するＸ線を受ける上面を備えるセル配列のシンチレータを準備する段階と、
半導体基板（６１）の上面の側にセル配列の光ダイオードを準備する段階と、
光吸収材料で作成された光漏話マスクを準備する段階と、
前記セル配列のシンチレータと前記セル配列の光ダイオードの間に前記光漏話マスクが挟まれ、前記光漏話マスクが、前記セル配列の光ダイオードよりも前記セル配列のシンチレータの近くなるように、前記半導体基板（６１）の底面の側に準備した前記光漏話マスクを付着させる段階と、
を含む方法。
【請求項８】
前記光漏話マスクが前記セル配列のシンチレータに隣接する、セル配列のマスク要素を含む、請求項７に記載の方法。
【請求項９】
前記光漏話マスクが、黒色ポリアミド、金属、ドープ処理シリコン及び不透明材料の１つで形成されている、請求項７記載の方法。
【発明の詳細な説明】
【技術分野】
【０００１】
本発明は、総括的には診断用イメージングに関し、より具体的には、シンチレータと隣接する光ダイオードとの間の漏話を低減するための光マスク層を有するＣＴ検出器に関する。
【背景技術】
【０００２】
通常、コンピュータ断層撮影（ＣＴ）イメージング・システムにおいては、Ｘ線源が、患者又は手荷物などの被検体又は対象物に対して扇形ビームを照射する。以下において、「被検体」及び「対象物」という用語は、撮像対象となることができる任意のものを含む。ビームは、被検体によって減弱された後に、放射線検出器のアレイに入射する。検出器アレイで受信された減弱ビーム放射線の強度は、通常、被検体によるＸ線ビームの減弱度によって決まる。検出器アレイの各検出器素子は、各検出器素子で受信した減弱ビームを表す個別の電気信号を生成する。電気信号は、最終的に画像を生成する分析のためにデータ処理システムへ送信される。
【０００３】
一般的に、Ｘ線源及び検出器アレイは、イメージング平面内においてガントリ近くで被検体の周りを回転する。Ｘ線源は、通常、焦点にＸ線ビームを照射するＸ線管を含む。Ｘ線検出器は、通常、検出器で受信したＸ線ビームをコリメートするコリメータと、Ｘ線を光エネルギーに変換する、コリメータに隣接したシンチレータと、隣接するシンチレータから光エネルギーを受信し該光エネルギーから電気信号を生成する光ダイオードとを含む。
【０００４】
通常、シンチレータ・アレイの各シンチレータは、Ｘ線を光エネルギーに変換する。各シンチレータは、該シンチレータに隣接する光ダイオードへ光エネルギーを放出する。各光ダイオードは、光エネルギーを検出し、対応する電気信号を生成する。光ダイオードの出力は、次に画像再構成のためにデータ処理システムへ送信される。
【０００５】
一般的に、光ダイオードは、受信した光信号又はエネルギーを電流に変換するために用いられる。通常、発生する電流の量又は値は、検出した光エネルギー又は信号の量に正比例する。これに関して、効率的かつ有効な画像再構成のためには、シンチレータによって受信されるＸ線、シンチレータによって照射される光、及び光ダイオードによって検出される光が局所化されることが不可欠である。つまり、隣接する検出器セル間でクロス・コミュニケーションがある場合、光ダイオードの出力品質が悪化するおそれがある。このクロス・コミュニケーションは一般的に「クロストーク（漏話）」と呼ばれる。
【０００６】
ＣＴ検出器の検出器セル間の「漏話」は、隣接する検出器セル間でデータ又は信号が伝達される時に起こる。一般的に、漏話は、最終的な再構成ＣＴ画像においてアーチファクトの存在を招き、空間分解能不足の原因となるので、漏話の低減が図られる。通常、単一のＣＴ検出器内には、４つの異なるタイプの漏話が生じる可能性がある。Ｘ線漏話は、シンチレータ・セル間のＸ線の散乱によって引き起こされる場合がある。光反射漏話は、シンチレータを囲む反射体による光の伝送によって引き起こされる。公知のＣＴ検出器では、通常はエポキシである連続した光結合層を用いて、シンチレータ・アレイを光ダイオード・アレイに固定する。この結合層が、光結合漏話を生じる。これは、閉じ込められかつ光結合層を透過して隣接するダイオードの上方の領域内に入る光によるものであり、この場合光は最終的にはダイオードに吸収されて電気信号に変換される。４番目のタイプの漏話は、拡散漏話である。これは、電気と光との組合せである。この漏話は、通常、ダイオード領域間の境界付近に発生した光子によるものである。光生成キャリアがダイオードの無電界領域内で拡散し、その一部が隣接するダイオードによって収集さて漏話を生じるものである。上述のような光結合漏話及び拡散漏話の両方は、光透過又は光伝達漏話として表現されることになる。
【０００７】
漏話、特に漏話変動は、ＣＴイメージング装置におけるアーチファクトの大きな原因である。検出器セル間の漏話変動（あらゆる形態での）を低減するために、ＣＴ検出器は、高画質でアーチファクトのないＣＴ画像が再構成できるように非常に厳しい精度で製造される。漏話のメカニズムの多くは、検出器の寸法及び他の特性の小さな変動に非常に敏感である。光ダイオード・アレイに対するシンチレータ・アレイの不整合は、１つのセルからその隣接するセルへの漏話レベルの不均一性を促進する。１つのセルから別のセルへの漏話の変動を低減するためには、シンチレータに対してダイオードをより良好に整合させるか又は敏感でない設計にするかのいずれかが必要である。
【０００８】
このセル間の漏話変動の原因となるものの１つは、個々の光ダイオード素子間での光生成キャリアの拡散によって生じる電気的漏話である。光生成キャリアの側方拡散により、光ダイオード収集ジャンクションの光能動領域が拡大すると考えられる。この側方拡散により、幾らかの光キャリアがセル収集位置からはずれて拡散した時に起こる側方漏話が生じることになり、その場合、拡散した光キャリアが発生し、隣接するセルによって収集される。ダイオードが厚くなることにより収集前の拡散の長さが増加するので、背面照射型ダイオードの場合にはこの影響が一層顕著になる。背面照射型ダイオードは、光がダイオード・ジャンクションとは反対側でダイオード・アレイに入射するダイオード・アレイである。
【特許文献１】米国特許第４９８２０９６号
【発明の開示】
【発明が解決しようとする課題】
【０００９】
従って、電気的漏話を低減して画像再構成を改善したＣＴ検出器を設計することが望ましいといえる。
【課題を解決するための手段】
【００１０】
本発明は、光ダイオード間の漏話及び漏話変動を低減する光マスクを使用して前述の欠点を克服したＣＴ検出器を対象とする。
【００１１】
光マスク層は、ＣＴ検出器の光ダイオード・アレイとシンチレータ・アレイとの間に配置されるか又は他の方法で形成される。ｘ軸、ｚ軸又はその両方に沿って延びることができる光マスク層は、光ダイオード間の境界付近の領域においてシンチレータ・アレイのシンチレータによって照射された光を吸収又は反射するように設計される。この吸収又は反射によって、シンチレータから隣接するシンチレータに対応する光ダイオードに向かう電気信号内への光子の伝達が低減される。抑制された伝達は、２つのメカニズム、すなわち、第１に光結合層を通る光透過と、第２に半導体内での電気キャリアの生成及びこのキャリアの隣接する光ダイオードへの側方拡散とによって起こることになる。この漏話の低減は、再構成画像のアーチファクトを減少させ、従って画像の診断価値を向上させる。別の実施形態では、光吸収材料に代えて又は光吸収材料に加えて、光反射材料が用いられる。
【００１２】
従って、１つの態様によると、本発明は、複数のシンチレータを備えたシンチレータ・アレイと、複数の光ダイオードを有し、シンチレータ・アレイの照度を検出するように構成された光ダイオード・アレイとを有するＣＴ検出器を含む。さらに、ＣＴ検出器は、シンチレータ・アレイと光ダイオード・アレイとの間に配置された光マスクを含む。光マスクは、シンチレータと隣接する光ダイオードとの間の光伝達を低減するように構成される。
【００１３】
本発明の別の態様によると、ＣＴ検出器を提供し、本ＣＴ検出器は、互いに隣接して配置された少なくとも２つのシンチレータと、少なくとも２つの光ダイオードとを含む。各光ダイオードは、それぞれのシンチレータの照度を検出するように作動可能に整列される。ＣＴ検出器はさらに、少なくとも２つのシンチレータと少なくとも２つの光ダイオードとの間に配置されて、シンチレータと隣接する光ダイオードとの間の光伝達を低減する少なくとも１つのマスク要素を含む。
【００１４】
さらに別の態様によると、本発明は、その中央に配置されたボアを有する回転可能なガントリと、ボアの中を前後に移動可能であり、ＣＴデータ収集のために被検体を位置決めするように構成されたテーブルとを有するＣＴシステムを含む。ＣＴシステムはまた、回転可能なガントリ内に配置され、被検体に向かって高周波電磁エネルギーを投射するように構成された高周波電磁エネルギー投射源と、回転可能なガントリ内に配置され、投射源によって投射されかつ被検体に入射する高周波電磁エネルギーを検出するように構成された検出器アレイとを含む。検出器アレイは、シンチレータのアレイと光ダイオードのアレイとを含む。検出器アレイはさらに、シンチレータのアレイと光ダイオードのアレイとの間の間隙に層状に挿入した光漏話阻止体のアレイを含む。
【００１５】
さらに別の態様によると、本発明は、ＣＴ検出器の製造方法を含み、本方法は、セル配列のシンチレータを準備する段階と、セル配列の光ダイオードを準備する段階とを含む。本製造方法はさらに、光漏話マスクを準備する段階と、セル配列のシンチレータとセル配列の光ダイオードとをそれらの間に光漏話マスクが挟まれるように配置する段階とを含む。
【００１６】
本発明の他の様々な特徴、目的及び利点は、以下の詳細な説明及び図面から明らかになるであろう。
【発明を実施するための最良の形態】
【００１７】
図面は、本発明を実施するための現在考えられる１つの好ましい実施形態を示す。
【００１８】
４スライス・コンピュータ断層撮影（ＣＴ）システムに関して本発明の作動環境を説明する。しかしながら、本発明が単一スライス又は他のマルチ・スライス構成での使用にも同様に適用可能であることは、当業者には分かるであろう。さらに、本発明は、Ｘ線の検出及び変換に関して説明することにする。しかしながら、さらに、本発明が、ガンマ線などの他の高周波電磁エネルギー、或いは中性子、電子又は陽子などのより高エネルギーの粒子放射線の検出及び変換にも同様に適用可能であることは、当業者には分かるであろう。本発明は、「第３世代」ＣＴスキャナに関して説明するが、他のＣＴシステムにも同様に適用可能である。
【００１９】
図１及び図２を参照すると、コンピュータ断層撮影（ＣＴ）イメージング・システム１０が、「第３世代」ＣＴスキャナを代表するガントリ１２を含むものとして示されている。ガントリ１２は、該ガントリ１２の反対側にある検出器アレイ１８に向かってＸ線ビーム１６を投射するＸ線源１４を有する。検出器アレイ１８は、医療患者２２を透過する投射Ｘ線をともに感知する複数の検出器２０で形成される。各検出器２０は、入射Ｘ線ビームすなわち患者２２を透過するときに減弱されたビームの強度を表す電気信号を生成する。Ｘ線投影データを収集するスキャン中、ガントリ１２及びその上に装着された構成要素は、回転中心２４の周りで回転する。
【００２０】
ガントリ１２の回転及びＸ線源１４の作動は、ＣＴシステム１０の制御機構２６によって制御される。制御機構２６は、Ｘ線源１４に電力とタイミング信号を供給するＸ線制御装置２８と、ガントリ１２の回転速度及び位置を制御するガントリ・モータ制御装置３０とを含む。制御機構２６内のデータ収集システム（ＤＡＳ）３２は、検出器２０からのアナログ・データをサンプリングし、後続の処理のためにそのデータをデジタル信号に変換する。画像再構成装置３４は、ＤＡＳ３２からのサンプリングされかつデジタル化されたＸ線データを受けて、高速画像再構成を実行する。再構成された画像は、コンピュータ３６へ入力として供給され、コンピュータ３６はその画像を大容量記憶装置３８に格納する。
【００２１】
コンピュータ３６はまた、キーボードを有するコンソール４０を介してオペレータから命令及びスキャン・パラメータを受ける。付随する陰極線管表示装置４２によって、オペレータはコンピュータ３６からの再構成画像及び他のデータを観察できる。オペレータが供給した命令及びパラメータは、コンピュータ３６によって用いられて、ＤＡＳ３２、Ｘ線制御装置２８及びガントリ・モータ制御装置３０に制御信号及び情報を与える。さらに、コンピュータ３６は、電動テーブル４６を制御して患者２２及びガントリ１２を位置決めするテーブル・モータ制御装置４４を作動させる。具体的には、テーブル４６は、ガントリ開口部４８を通して患者２２の部分を移動させる。
【００２２】
図３及び図４を参照すると、検出器アレイ１８は、シンチレータ・アレイ５６を形成する複数のシンチレータ５７を含む。コリメータ（図示せず）がシンチレータ・アレイ５６の上に配置されて、Ｘ線ビーム１６がシンチレータ・アレイ５６に入射する前に該Ｘ線ビーム１６をコリメートする。
【００２３】
図３に示す１つの実施形態では、検出器アレイ１８は５７個の検出器２０を含み、各検出器２０は、１６×１６のアレイ・サイズを有する。その結果、アレイ１８は、ガントリ１２の各回転で１６個の同時スライスのデータを収集するのを可能にする１６行及び９１２列（１６×５７検出器）を有する。さらに、下記でより詳細に述べるように、各検出器は、ｘ軸に沿って互いに隣接する検出器セル間、ｚ軸に沿って互いに隣接する検出器セル間又はその両方の漏話を低減するように設計された光マスク又は層を含む。慣例により、検出器の平面内の２つの軸は、ｘ軸及びｚ軸である。ｘ軸が、ガントリ回転の方向にある。
【００２４】
図４のスイッチ・アレイ８０及び８２は、シンチレータ・アレイ５６とＤＡＳ３２との間に連結された多次元半導体アレイである。スイッチ・アレイ８０及び８２は、多次元アレイとして配列された複数の電界効果トランジスタ（ＦＥＴ）（図示せず）を含む。ＦＥＴアレイは、それぞれの光ダイオード６０の各々に接続された多数の導線と、可撓性の電気的インタフェース８４を介してＤＡＳ３２に電気的に接続された多数の出力導線とを含む。具体的には、約半分の光ダイオード出力がスイッチ８０に電気的に接続され、残り半分の光ダイオード出力がスイッチ８２に電気的に接続される。さらに、各シンチレータ５７間に反射層（図示せず）を配置して、隣接するシンチレータからの光散乱を低減することができる。各検出器２０は、取付けブラケット７９によって図３の検出器フレーム７７に固定される。
【００２５】
スイッチ・アレイ８０及び８２はさらに、所望の数のスライス及び各スライスのスライス解像度に従って、光ダイオード出力を有効にするか、無効にするか又は組み合わせるデコーダ（図示せず）を含む。１つの実施形態では、デコーダは、当技術分野では公知のデコーダ・チップ又はＦＥＴ制御装置である。デコーダは、スイッチ・アレイ８０及び８２とＤＡＳ３２とに接続された複数の出力及び制御線を含む。１６スライス・モードとして形成した１つの実施形態では、デコーダは、スイッチ８０及び８２を有効にして、光ダイオード・アレイ５２の全ての行を起動して、ＤＡＳ３２による処理のために１６個の同時スライスのデータを得るようにする。もちろん、他の多くのスライスの組合せが可能である。例えば、デコーダはまた、１、２及び４スライス・モードを含む他のスライス・モードから選択することもできる。
【００２６】
図５に示すように、適正なデコーダ指示を送信することによって、スイッチ・アレイ８０及び８２は、光ダイオード・アレイ５２の１つ又はそれ以上の行の４つのスライスからデータを収集するような４スライス・モードに構成されることができる。スイッチ・アレイ８０及び８２の特定の構成に応じて、光ダイオード６０の様々な組合せを有効にするか、無効にするか又は組み合わせて、スライスの厚さが、シンチレータ・アレイ素子５７の１つ、２つ、３つ又は４つの行で構成されることができるようにすることができる。別の実施例は、スライスが１．２５ｍｍ厚さ〜２０ｍｍ厚さの範囲にある１つのスライスを含む単一スライス・モードと、スライスが１．２５ｍｍ厚さ〜１０ｍｍ厚さの範囲にある２つのスライスを含む２スライス・モードとを含む。上に説明したモード以上の別のモードが考えられる。
【００２７】
本発明は、ダイオードの検出器セル間のギャップに近い領域内でのシンチレータからの光子の吸収を低減するように構成した光マスク又は層を対象とする。この領域におけるダイオード内の光生成キャリアは、拡散して隣接する検出器セルによって収集される確率が最も高い。具体的には、光マスクは、シンチレータ・アレイ及び光ダイオード・アレイに沿って横方向に延びかつこれらアレイと寸法的に等しい交差する光吸収阻止要素のグリッドを形成する。さらに、マスクは、吸収材料又は不透明材料に代えて又はこれら材料に加えて、光反射材料で構成することができる。より具体的には、マスクは、黒色ポリアミド、金属、ドープ処理シリコン及び不透明材料の任意の１つ又は組合せで構成するのが好ましい。
【００２８】
図６は、本発明によるＣＴ検出器２０の一部の断面図を示す。上記に示しかつ説明したように、検出器２０は、複数のシンチレータ５７で形成されたシンチレータ・アレイ５６を含む。隣接するシンチレータは、ギャップ８６によって互いに分離され、このギャップには、通常、反射体を形成するような光反射材料が充填される。シンチレータ・アレイ５６に対して光ダイオード・アレイ５２が光結合され、光ダイオード・アレイ５２は、半導体基板６１で作られた光ダイオード６０を含む。各シンチレータ５７は、対応する光ダイオード６０を有する。シンチレータ・アレイと基板との間には、多数のマスク要素９０を含む光マスク又は層８８が挟まれる。上述のように、光マスクは、マスク要素がｘ軸、ｚ軸又はその両方に沿って延びるように、構成することができる。
【００２９】
光吸収マスク８８は、１つの検出器セルからその隣接するセルへの漏話を低減するように設計される。より具体的には、光マスク要素９０は、シンチレータから隣接するシンチレータの光ダイオードへの漏話を低減するように設計される。さらに、光マスクは、検出器構成要素の不整合及びそれに関連する漏話に対処するように設計される。つまり、光マスクは、個々のマスク要素が隣接するシンチレータ間の間隔と寸法的に等しいか又は好ましくはこの間隔よりも大きくなるように構成される。従って、光マスクは、光ダイオード・アレイに対するシンチレータ・アレイの整合要件を緩和するために用いることができる。ダイオード内の光子吸収領域は、シンチレータ・アレイ５６を整合させることではなく、マスク８８を配置することによって定まる。さらに、光マスク要素の厚さは、シンチレータ・アレイと光ダイオード・アレイとの間の垂直方向の間隔にほぼ等しいのが好ましい。
【００３０】
光マスクは、多数の光吸収材料を含むことができ、多数の製作法によって製造することができると考えられる。これに関して、黒色ポリアミドは、光吸収層に用いることができる組成物の１つの実施例である。このような黒色ポリアミド材料は、ミズーリ州ローラ所在のＢｒｅｗｅｒ  Ｓｃｉｅｎｃｅ，Ｉｎｃ．から購入可能である。さらに、金属及び金属被覆製造法が考えられる。別の実施形態では、光ダイオード・アレイは、光生成キャリアの急速再結合を生じるドーパントを使用して蒸着又はそれとは別に拡散させることができる。１つの実施例は、ダイオードがＰ型ドーパントで形成された場合の高濃度Ｎ型ドーパントである。別の実施形態では、寸法的に光ダイオード・アレイに等しい機械的グリッドを製造し、付着させる。光マスクを構成するのに、不透明材料のスクリーン印刷もまた考えられる。さらに、これまで、シンチレータと隣接する光ダイオードとの間の漏話を光ダイオード間に光吸収要素を組込むことによって低減することに関して本発明を説明してきたが、隣接する検出器セルに向かって照射される光子を、光反射要素を用いて遮断する及び／又は反射させることができるも考えられる。これに関し、光収集は、漏話の低減とともに増加することになる。傾斜した反射要素を用いて、光収集効率をさらに高めることができることも考えられる。
【００３１】
本発明は、医療患者からの診断データ収集に関して説明してきた。本発明はまた、非医療データを収集するのに用いるＣＴシステムにも適用可能である。図７を参照すると、荷物／手荷物検査システム１００は、その中に開口部１０４を有する回転可能なガントリ１０２を含み、この開口を通して荷物又は手荷物を移動させることができる。回転可能なガントリ１０２は、高周波電磁エネルギー源１０６とシンチレータ・セルを含むシンチレータ・アレイとを有する検出器組立体１０８を収納する。さらに、コンベヤ・システム１１０が設けられ、このコンベヤ・システム１１０は、構造体１１４によって支持されたコンベヤ・ベルト１１２を含み、開口部１０４を通して自動的にかつ連続してスキャン対象の荷物又は手荷物１１６を通過させる。対象物１１６は、コンベヤ・ベルト１１２によって開口部１０４を通して送り込まれ、次にイメージング・データが収集され、コンベヤ・ベルト１１２は制御された連続的な方法で開口部１０４から荷物１１６を除去する。その結果、郵便検査官、手荷物係及び他の警備員は、爆発物、ナイフ、銃、密輸品などについて、荷物１１６の内容物を非侵襲的に検査することができる。
【００３２】
従って、１つの実施形態によると、本発明は、複数のシンチレータを備えたシンチレータ・アレイと、複数の光ダイオードを有し、シンチレータ・アレイの照度を検出するように構成された光ダイオード・アレイとを有するＣＴ検出器を含む。ＣＴ検出器はまた、シンチレータ・アレイと光ダイオード・アレイとの間に配置された光マスクを含む。光マスクは、シンチレータと隣接する光ダイオードとの間の光伝達を低減するように構成される。
【００３３】
本発明の別の実施形態によると、ＣＴ検出器を提供し、本ＣＴ検出器は、互いに隣接して配置された少なくとも２つのシンチレータと、少なくとも２つの光ダイオードとを含む。各光ダイオードは、それぞれのシンチレータの照度を検出するように作動可能に整列される。ＣＴ検出器はさらに、少なくとも２つのシンチレータと少なくとも２つの光ダイオードとの間に配置されて、シンチレータと隣接する光ダイオードとの間の光伝達を低減する少なくとも１つのマスク要素を含む。
【００３４】
さらに別の態様によると、本発明は、その中央に配置されたボアを有する回転可能なガントリと、ボアの中を前後に移動可能であり、ＣＴデータ収集のために被検体を位置決めするように構成されたテーブルとを有するＣＴシステムを含む。ＣＴシステムはまた、回転可能なガントリ内に配置され、被検体に向かって高周波電磁エネルギーを投射するように構成された高周波電磁エネルギー投射源と、回転可能なガントリ内に配置され、投射源によって投射されかつ被検体に入射する高周波電磁エネルギーを検出するように構成された検出器アレイとを含む。検出器アレイは、シンチレータのアレイと光ダイオードのアレイとを含む。検出器アレイはさらに、シンチレータのアレイと光ダイオードのアレイとの間の間隙に層状に挿入した光漏話阻止体のアレイを含む。
【００３５】
さらに別の態様によると、本発明は、ＣＴ検出器の製造方法を含み、本方法は、セル配列のシンチレータを準備する段階と、セル配列の光ダイオードを準備する段階とを含む。本製造方法はさらに、光漏話マスクを準備する段階と、セル配列のシンチレータとセル配列の光ダイオードとをそれらの間に光漏話マスクが挟まれるように配置する段階とを含む。
【００３６】
好ましい実施形態に関して本発明を説明してきたが、明確に述べたものは別にして、均等な構成、変更及び修正が可能であり、かつそれらが特許請求の範囲の技術的範囲内にあることを理解されたい。
【図面の簡単な説明】
【００３７】
【図１】ＣＴイメージング・システムの斜視図。
【図２】図１に示すシステムの概略ブロック図。
【図３】ＣＴシステム検出器アレイの１つの実施形態の斜視図。
【図４】検出器の１つの実施形態の斜視図。
【図５】４スライス・モードにおける、図４の検出器の様々な構成を示す図。
【図６】本発明の１つの態様によるＣＴ検出器の一部の断面図。
【図７】非侵襲的荷物検査システムに用いたＣＴシステムの斜視図。
【符号の説明】
【００３８】
２０  ＣＴ検出器
５２  光ダイオード・アレイ
５６  シンチレータ・アレイ
５７  シンチレータ
６０  光ダイオード
６１  半導体基板
８６  ギャップ
８８  光マスク
９０  マスク要素
【図１】
0004683906.tif 000002
【図２】
0004683906.tif 000003
【図３】
0004683906.tif 000004
【図４】
0004683906.tif 000005
【図５】
0004683906.tif 000006
【図６】
0004683906.tif 000007
【図７】
0004683906.tif 000008